(57)【要約】      （修正有）【課題】物品を保存可能な印鑑の改良構造を提供する。【解決手段】印鑑本体４、栓固定部材、当該栓固定部材に固定される蓋固定部材７及び印鑑ケースを主に含む。当該印鑑本体４の一端面には、氏名又はその他の文字４１が篆刻され、他端面には、直径が印鑑ケースとほぼ同じ上蓋部４２が設けられている。また、当該上蓋部４２の内縁には収納槽が設けられ、収納槽にねじ山４４が設けられており、当該ねじ山４４が栓固定部材及び蓋固定部材７と互いに螺合可能である。且つ、当該印鑑本体４と上蓋部４２との接続部には印鑑ケースに対応するねじ山４４が設けられており、当該印鑑本体４を印鑑ケースに装填及び固定可能とする。印鑑本体４の収納槽に保存物を装填した後に、蓋固定部材７を印鑑本体４に固定して収納槽を密封することで、押印機能に加えて、携帯及び使用の利便性を高めるとともに、保存物の貯蔵性を価値として印鑑Ａに兼ね備えさせる。【選択図】図２
0003202845.tif 000002
【実用新案登録請求の範囲】
【請求項１】
物品を保存可能な印鑑の改良構造であって、
一端面に氏名又はその他の文字が篆刻され、他端に上蓋部が設けられ、上蓋部との接続部にねじ山が設けられた印鑑本体と、
上方の開口箇所内縁に、印鑑本体と上蓋部との接続部におけるねじ山に対応するねじ山が設けられた印鑑ケース、を含み、
印鑑本体を印鑑ケース内に装填及び固定することで、押印機能に加えて、収納しやすさとの利便性を印鑑に持たせる構造。
【請求項２】
印鑑本体の上蓋部の上方に設けられた収納槽、
印鑑本体の収納槽に固定される栓固定部材、及び
栓固定部材に固定される蓋固定部材、を更に含み、
印鑑本体の収納槽に、臍帯印鑑、装飾品等の秘匿物を装填した後に、栓固定部材と蓋固定部材を印鑑本体の上方に固定して収納槽を密封することで、押印機能に加えて、保存物の貯蔵性を価値として印鑑に兼ね備えさせる請求項１記載の物品を保存可能な印鑑の改良構造。
【請求項３】
当該印鑑本体は収納槽の内縁にねじ山が設けられ、栓固定部材は外周に収納槽のねじ山に対応する雄ねじが設けられ、蓋固定部材は底縁に栓固定部材の雌ねじに対応するねじ山部が設けられ、蓋固定部材のねじ山部と、栓固定部材及び印鑑本体の収納槽におけるねじ山が互いに螺合することで、蓋固定部材が印鑑本体の上方に固定される、請求項２記載の物品を保存可能な印鑑の改良構造。
【請求項４】
蓋固定部材の上端には、使用者が工具を挿入して蓋固定部材を回転させ、蓋固定部材の封止及び開封がしやすいように、浅い溝が設けられている請求項２記載の物品を保存可能な印鑑の改良構造。
【請求項５】
印鑑本体及び蓋固定部材は、金属、牛角材又は白檀等の材質からなる請求項２記載の物品を保存可能な印鑑の改良構造。
【考案の詳細な説明】
【技術分野】
【０００１】
本考案は、物品を保存可能な印鑑の改良構造に関し、特に、押印機能を備え、印鑑をそのまま印鑑ケースに装填及び固定可能であるとともに、保存物の貯蔵性を価値として兼ね備えた印鑑構造に関する。
【背景技術】
【０００２】
通常の印鑑構造では、石材、木材、玉或いは象牙等を材質とする印鑑本体の端面に、異なる字体で氏名や文字を篆刻することが一般的である。図１に示すように、これら従来の印鑑を携帯する際には、印鑑使用後に朱肉でバッグが汚れないよう、印鑑本体１を印鑑ケース２に入れてから蓋３で封止する。印鑑ケース２及び蓋３には、互いに噛合可能なねじ山２１，３１がそれぞれ設けられており、使用時には蓋３を開封してから印鑑本体１を取り出し、押印する必要がある。よって、押印する度に蓋を開封せねばならないほか、当該蓋は一般的に体積が小さいため、落としたり紛失したりしやすく、携帯に不便であった。また、物品を保存可能なその他従来の印鑑の場合には、保存物を装填具へ装填した後に接着剤で印鑑内に貼りつけるため、長期間保存すると空気による酸化で装填具が膨張しやすく、印鑑が破損することがあった。出願人はこの点に鑑みて研究、実験を重ねた結果、印鑑を収納しやすく、且つ保存物の貯蔵性を価値として兼ね備えた物品を保存可能な印鑑の改良構造を想起した。
【考案の概要】
【考案が解決しようとする課題】
【０００３】
本考案は、本来の押印機能のほかに、印鑑を収納しやすく、且つ保存物の貯蔵性を価値として兼ね備えた物品を保存可能な印鑑の改良構造を提供することを主な目的とする。
【課題を解決するための手段】
【０００４】
上記の物品を保存可能な印鑑の改良構造は、印鑑本体、栓固定部材、当該栓固定部材に固定される蓋固定部材及び印鑑ケースを含む。当該印鑑本体の一端面には、氏名又はその他の文字が篆刻され、他端面には、直径が印鑑ケースとほぼ同じ上蓋部が設けられている。また、当該上蓋部の上方に収納槽が設けられ、収納槽の上端に大径の開口部が設けられている。当該開口部にはねじ山が設けられ、当該栓固定部材には開口部のねじ山に対応する雄ねじ及び雌ねじが設けられている。当該蓋固定部材は上端に浅い溝が設けられており、底縁に栓固定部材の雌ねじに対応するねじ山部が設けられている。且つ、当該印鑑本体と上蓋部との接続部には印鑑ケースに対応するねじ山が設けられており、当該印鑑本体を印鑑ケース内に装填及び固定可能とする。これより、押印機能に加えて、収納しやすさ及び保存物の収納性を価値として印鑑に兼ね備えさせる。
【０００５】
上記の物品を保存可能な印鑑の改良構造において、当該蓋固定部材の上端には、使用者が工具を挿入して蓋固定部材を回転させ、蓋固定部材の封止及び開封がしやすいように、浅い溝が設けられている。
【０００６】
上記の物品を保存可能な印鑑の改良構造において、当該印鑑本体及び蓋固定部材は、金属、牛角材又は白檀等の材質からなる。
【図面の簡単な説明】
【０００７】
【図１】図１は、従来の印鑑及び印鑑ケースの分解斜視図である。
【図２】図２は、本考案の斜視図である。
【図３】図３は、本考案の他の斜視図である。
【図４】図４は、本考案の印鑑及び印鑑ケースの分解斜視図である。
【図５】図５は、本考案の断面図である。
【図６】図６は、本考案の他の実施例の斜視図である。
【考案を実施するための形態】
【０００８】
図２、図３、図４及び図５は、本考案の斜視図、分解斜視図及び断面図である。図示するように、本考案は、印鑑本体４、栓固定部材６、当該栓固定部材６に固定される蓋固定部材７及び印鑑ケース５を含む。当該印鑑本体４は、金属、牛角材又は白檀等の材質からなり、本実施例では円形とされる。印鑑本体４の一端面には、氏名又はその他の文字４１が篆刻され、他端面には、直径が印鑑ケース５とほぼ同じ上蓋部４２が設けられている。また、当該上蓋部４２の内縁には収納槽４３が設けられ、収納槽４３にねじ山４３１が設けられている。本実施例では、当該上蓋部４２の縁面は適度なアーチ面とされる。当該印鑑本体４と上蓋部４２との接続部にはねじ山４４が設けられている。当該印鑑ケース５における上方の開口箇所内縁には、印鑑本体４と上蓋部４２との接続部のねじ山４４に対応するねじ山５１が設けられている。
【０００９】
当該栓固定部材６には、収納槽４３のねじ山４３１に対応する雄ねじ６１と、雌ねじ６２が設けられている。当該蓋固定部材７は上端に浅い溝７２が設けられており、底縁に栓固定部材６の雌ねじ６２に対応するねじ山部７１が設けられている。これより、保存物を収納槽４３に装填する際には、まず栓固定部材６を収納槽４３のねじ山４３１に固定してから、蓋固定部材７を栓固定部材６の雌ねじ６２に固定することで保存する。本実施例では、当該蓋固定部材７の上端が半球形とされており、当該浅い溝７２は、上端から内側に凹陥する溝である。
【００１０】
上記の部材を組み合わせることで、収納しやすく物品を保存可能な印鑑Ａが構成される。これより、印鑑本体４の収納槽４３に臍帯印鑑や装飾品といった秘匿物を装填した後に、栓固定部材６の雄ねじ６１と印鑑本体４における収納槽４３のねじ山４３１とを互いに螺合させ、蓋固定部材７のねじ山部７１と栓固定部材６の雌ねじ６２とを互いに螺合させることで、蓋固定部材７を印鑑本体４の上方に固定すれば、収納槽４３が密封される。続いて、印鑑本体４と上蓋部４２との接続部におけるねじ山４４を印鑑ケース５のねじ山５１に固定すれば、印鑑Ａは押印機能だけでなく、収納しやすさと保存物の貯蔵性を価値として兼ね備えるようになる。なお、当該蓋固定部材７の上端には、使用者が工具（ドライバー、銅板、鍵等の浅い溝７２に挿入可能なもの）を挿入して蓋固定部材７を回転させられるよう、浅い溝７２が設けられているため、蓋固定部材７の封止及び開封に便利である。
【００１１】
更に、図５は本考案の断面図である。図示するように、本考案では使用に際して、臍帯印鑑や装飾品といった秘匿物を収納槽４３に装填した後、栓固定部材６の雄ねじ６１と印鑑本体４における収納槽４３のねじ山４３１とを互いに螺合させ、蓋固定部材７のねじ山部７１と栓固定部材６の雌ねじ６２とを互いに螺合させることで、収納槽４３を密封し、保存物にいっそうの秘匿性を持たせる。このように、印鑑Ａは篆刻された氏名やその他の文字４１による押印機能のほかに、保存物の貯蔵性を価値として兼ね備える。
【００１２】
本考案では、印鑑本体４及び蓋固定部材７が金属、牛角材又は白檀等の材質からなり、蓋固定部材７及び栓固定部材６と印鑑本体４との固定を保存方式として採用している。よって、従来の印鑑のように長期間保存した場合に空気によって酸化して膨張し、亀裂が生じたり破損したりすることがない。
【００１３】
図６は、本考案の他の実施例の斜視図である。図示するように、本考案の他の実施例では、印鑑本体４と、当該印鑑本体４に固定される栓固定部材６及び蓋固定部材７を含む。当該印鑑本体４は方形とされる。同様に、印鑑本体４の一端面には、氏名又はその他の文字４１が篆刻され、他端面には、直径が印鑑ケース５とほぼ同じ上蓋部４２が設けられている。また、当該上蓋部４２の内縁には収納槽４３が設けられ、収納槽４３にねじ山４３１が設けられている。当該栓固定部材６には、収納槽４３のねじ山４３１に対応する雄ねじ６１と、雌ねじ６２が設けられている。当該印鑑本体４と上蓋部４２との接続部には、ねじ山４４が設けられている。当該蓋固定部材７は上端に浅い溝７２が設けられており、底縁に栓固定部材６の雌ねじ６２に対応するねじ山部７１が設けられている。本実施例では、当該蓋固定部材７の上端が半球形とされており、当該浅い溝７２は、上端から内側に凹陥する溝である。
【００１４】
上記の部材を組み合わせることで、収納しやすく物品を保存可能な印鑑Ａが構成される。これより、印鑑本体４の収納槽４３に臍帯印鑑や装飾品といった秘匿物を装填した後に、栓固定部材６の雄ねじ６１と印鑑本体４における収納槽４３のねじ山４３１とを互いに螺合させ、蓋固定部材７のねじ山部７１と栓固定部材６の雌ねじ６２とを互いに螺合させることで、蓋固定部材７を印鑑本体４の上方に固定すれば、収納槽４３が密封される。続いて、印鑑本体４と上蓋部４２との接続部におけるねじ山４４を印鑑ケース５のねじ山５１に固定すれば、印鑑Ａは押印機能だけでなく、収納しやすさと保存物の貯蔵性を価値として兼ね備えるようになる。なお、当該蓋固定部材７の上端には、使用者が工具（ドライバー、銅板、鍵等の浅い溝７２に挿入可能なもの）を挿入して蓋固定部材７を回転させられるよう、浅い溝７２が設けられているため、蓋固定部材７の封止及び開封に便利である。
【００１５】
上記の実施例は本考案の好ましい実施形態を説明するものにすぎず、本考案の範囲を限定する主旨ではない。わずかな補足、変更を加えても本考案の主旨を失わないものは、本考案の精神の範疇を逸脱するものではない。
【００１６】
以上述べたように、本考案は、上蓋部と収納槽が設けられた印鑑本体に対して、印鑑本体に固定される栓固定部材と蓋固定部材を組み合わせることで、物品を収納及び保存しやすい印鑑構造を構成している。これより、印鑑は本来の押印機能のほかに、秘匿物の貯蔵性を価値として兼ね備える。本考案は実用的な設計であり、確かな新規性を備えるため、法に基づき出願する。審査のうえ、早期に権利化していただければ幸甚である。
【符号の説明】
【００１７】
Ａ  印鑑
１  印鑑本体
１１  氏名又はその他の文字
２  印鑑ケース
２１  ねじ山
３  蓋
３１  ねじ山
４  印鑑本体
４１  氏名又はその他の文字
４２  上蓋部
４３  収納槽
４３１  ねじ山
４４  ねじ山
５  印鑑ケース
５１  ねじ山
６  栓固定部材
６１  雄ねじ
６２  雌ねじ
７  蓋固定部材
７１  ねじ山部
７２  浅い溝
【図１】
0003202845.tif 000003
【図２】
0003202845.tif 000004
【図３】
0003202845.tif 000005
【図４】
0003202845.tif 000006
【図５】
0003202845.tif 000007
【図６】
0003202845.tif 000008